(57)【特許請求の範囲】
【請求項１】
多層の紙状物で構成した紙袋本体の開口部に、弁紙にて折り曲げ形成した外側スリーブバルブを取り付け、該外側スリーブバルブを通して粉粒体を前記紙袋本体内に充填自在となし、前記外側スリーブバルブの粉粒体投入開口側で、前記紙袋本体側の外面に自着性接着剤塗布面を設けるとともに、前記紙袋本体を形成する多層紙状物内に、前記紙袋本体の開封後の口部を閉じる口封バンドを前記紙袋本体の軸方向に収納してなるバルブ付紙袋であって、粉粒体の充填後に、前記外側スリーブバルブの粉粒体投入開口側の両角部を前記紙袋本体側に折り畳んで、前記自着性接着剤塗布面同士を貼り合わせ、
さらに、その折畳部分を前記紙袋本体側に巻き込んで、前記粉粒体投入開口を閉じることを特徴とするバルブ付紙袋。
【請求項２】
前記外側スリーブバルブの前記自着性接着剤塗布面の貼合部分上に、化粧紙を貼着してなる請求項１記載のバルブ付紙袋。
【請求項３】
前記紙袋本体の多層紙状物内における前記口封バンドの収納箇所は、前記多層紙状物における外層紙状物同士の貼合部と内層紙状物同士の貼合部との間をずらしてスペースを空け、該スペースにおける前記外層紙状物と前記内層紙状物とを、前記口封バンドを収納する隙間が出来るように貼着してなる請求項１または２記載のバルブ付紙袋。
【請求項４】
前記自着性接着剤塗布面における自着性接着剤は、ゴム・ラテックス、アクリル、エチレンビニルアセテート（ＥＶＡ）、ポリウレタン、ホットメルトから選択されるいずれか１である請求項１ないし３のいずれか１項記載のバルブ付紙袋。
【発明の詳細な説明】
【技術分野】
【０００１】
本発明は、米、麦、そば等の粉粒体を収納するためのバルブ付紙袋に関し、より詳しくは、多層の紙状物で形成した紙袋本体の開口部に、弁紙にて形成した外側スリーブバルブを取り付け、この外側スリーブバルブの粉粒体投入開口側の外面に自着性接着剤塗布面を設けてなり、粉粒体の充填後に外側スリーブバルブの粉粒体投入開口側を折り畳んで、自着性接着剤塗布面同士を貼り合わせ、粉粒体投入開口を閉じてなるバルブ付紙袋に関する。
【背景技術】
【０００２】
従来の紙袋として、図９、１０に示すように、多層紙状物による紙状筒ａを平坦に折り潰し、この紙状筒ａの開口端部ｂの両角に折込み部ｃ、ｄを形成すると共に、紙状筒ａの上紙ｅ及び下紙ｆの一方を開いて展開面ｇとし、この展開面ｇの中心の開口部ｈを塞ぐように、上紙ｅ及び下紙ｆを折れ筋ｉに沿い折り畳んで貼り合わせ、その上から化粧紙ｊを接着固定し、底部を構成する最も簡易な形状のものが知られている（例えば、特許文献１参照）。
【０００３】
また、特許文献１に記載されたような紙袋にバルブを取り付け、粉粒体を紙袋に容易に充填できるようにしたものが知られている。すなわち、このバルブ付紙袋は、図１１に示すように、上記した展開面ｇの折込み部ｃ、ｄのいずれか一方に外側スリーブバルブｋを取り付け、この外側スリーブバルブｋの内側全面に加熱溶融接着剤塗布面を設けてなり、粉粒体を外側スリーブバルブｋを通じてバルブ付紙袋内に充填後、外側スリーブバルブｋを加熱し、加熱溶融接着剤塗布面により外側スリーブバルブｋの内側全面を接着して
、バルブ付紙袋を密封するものである（例えば、特許文献２参照）。
【０００４】
さらに、図１２、１３に示すバルブ付紙袋は、外側スリーブバルブｋの内面Ｌの外端側に加熱溶融接着剤塗布面ｍを設けて、外端側の加熱溶融接着剤塗布面ｍを接着し、バルブ付紙袋を密封するものである（例えば、特許文献３参照）。
【０００５】
また、特許文献１、２のバルブ付紙袋とは別に、バルブを使用せず、したがって、バルブを閉じる工程が無く、粉粒体を紙袋に充填できるようにしたものが知られている。すなわち、この紙袋は、図１４（特許文献４参照）に示すように、底部が上記特許文献１に記載された紙袋と同じに形成されているが、口部ｎには紙製の口封バンドｏが取り付けられ、口部ｎから粉粒体が紙袋内に充填された後、口封バンドｏが縛られて口部ｎが閉じられ、紙袋が密封されるものである。
【先行技術文献】
【特許文献】
【０００６】
【特許文献１】実公平１−２６６００号公報
【特許文献２】実用新案登録第３０４６９９６号公報
【特許文献３】特開２００５−１７８８１８号公報
【特許文献４】実公昭５０−１４４７号公報
【発明の概要】
【発明が解決しようとする課題】
【０００７】
特許文献２のバルブ付紙袋は、外側スリーブバルブｋの内側全面に加熱溶融接着剤塗布面を設けてあり、粉粒体の充填は外側スリーブバルブｋ内に粉粒体供給用ノズルを差し込んで行うから、加熱溶融接着剤塗布面と粉粒体供給用ノズルとが内側全面にわたりこすれて、加熱溶融接着剤の一部が異物として粉粒体に混入する虞がある。また、加熱溶融接着剤塗布面が外側スリーブバルブｋの内側全面に設けてあるから、バルブ付紙袋の保管中にそれだけブロッキングする虞も高くなる。
【０００８】
その一方で、粉粒体をバルブ付紙袋内に充填した後、外側スリーブバルブｋを加熱して加熱溶融接着剤塗布面により内側全面を接着するのであるが、現実には、その加熱が外側スリーブバルブｋの外端側以外は化粧紙ｊ、上紙ｅ及び下紙ｆを通して加熱溶融接着剤塗布面に対して行われるため、これら化粧紙ｊ、上紙ｅ及び下紙ｆが断熱材の役割を担い、特に上紙ｅ及び下紙ｆを通して加熱される加熱溶融接着剤塗布面の部位、すなわち、外側スリーブバルブｋの内端側の内周面は接着されていない。したがって、外側スリーブバルブｋの加熱溶融接着剤塗布面は、異物混入の原因やブロッキングの原因とはなっても、接着に関与せずバルブ付紙袋の密封に何ら寄与していない。
【０００９】
また、特許文献３のバルブ付紙袋は、加熱溶融接着剤塗布面ｍを外側スリーブバルブｋの接着に実際に寄与する領域のみとしてあるため、異物混入の原因やブロッキングの原因になることは無いものの、加熱溶融接着剤塗布面ｍを加熱溶融して接着するのが煩わしく、かつそのための設備も別途必要となる。
【００１０】
また、特許文献４の紙袋は、中に粉粒体を充填した後、口封バンドｏを縛ることで密封し、逆に縛ってある口封バンドｏを解いて開封し粉粒体を取り出すものであるから、いずれもかなりの労力を必要とすることになる。
【００１１】
そこで、本発明の目的は、異物混入の原因やブロッキングの原因を出来るだけ排除し、粉粒体の充填後の外側スリーブバルブの封止も容易且つ確実にして、その上、開封後の口部も容易に開閉することが出来るバルブ付紙袋を提供することにある。
【課題を解決するための手段】
【００１２】
本発明は、上記目的を達成するために提案されたものであって、下記の構成からなることを特徴とするものである。
すなわち、本発明によれば、多層の紙状物で構成した紙袋本体の開口部に、弁紙にて折り曲げ形成した外側スリーブバルブを取り付け、該外側スリーブバルブを通して粉粒体を前記紙袋本体内に充填自在となし、前記外側スリーブバルブの粉粒体投入開口側で、前記紙袋本体側の外面に自着性接着剤塗布面を設けるとともに、前記紙袋本体を形成する多層紙状物内に、前記紙袋本体の開封後の口部を閉じる口封バンドを前記紙袋本体の軸方向に収納してなるバルブ付紙袋であって、粉粒体の充填後に、前記外側スリーブバルブの粉粒体投入開口側の両角部を前記紙袋本体側に折り畳んで、前記自着性接着剤塗布面同士を貼り合わせ、さらに、その折畳部分を前記紙袋本体側に巻き込んで、前記粉粒体投入開口を閉じることを特徴とするバルブ付紙袋が提供される。
【００１３】
また、本発明によれば、前記外側スリーブバルブの前記自着性接着剤塗布面の貼合部分上に、化粧紙を貼着してなるバルブ付紙袋が提供される。
【００１５】
また、本発明によれば、前記紙袋本体の多層紙状物内における前記口封バンドの収納箇所は、前記多層紙状物における外層紙状物同士の貼合部と内層紙状物同士の貼合部との間をずらしてスペースを空け、該スペースにおける前記外層紙状物と前記内層紙状物とを、前記口封バンドを収納する隙間が出来るように貼着してなるバルブ付紙袋が提供される。
【００１６】
また、本発明によれば、前記自着性接着剤塗布面における自着性接着剤は、ゴム・ラテックス、アクリル、エチレンビニルアセテート（ＥＶＡ）、ポリウレタン、ホットメルトから選択されるいずれか１であるバルブ付紙袋が提供される。
【００１７】
上記第１の課題解決手段による作用は次の通りである。すなわち、紙袋本体内に外側スリーブバルブを通して粉粒体を充填した後、外側スリーブバルブの粉粒体投入開口側を自着性接着剤塗布面同士が密着するように折り畳めば、自着性接着剤塗布面同士が接着して
、外側スリーブバルブの粉粒体投入開口を閉鎖することができる。
さらに、紙袋本体の開封後、その口部を閉じる必要があるとき、多層紙状物内に収納してある口封バンドを取り出し、口部を口封バンドにて縛り付けて口部を閉じたり、口封バンドを解き口部を開けることが出来る。
【００１８】
また、上記第２の課題解決手段による作用は、外側スリーブバルブの自着性接着剤塗布面の貼合部分上に化粧紙を貼り合わせてあるから、この化粧紙により外側スリーブバルブの粉粒体投入開口をより強く閉鎖して密封性が高まる。
【００２０】
また、上記第３の課題解決手段による作用は、スペースにおける外層紙状物と内層紙状物との貼着部分間による隙間である収納箇所内に、口封バンドを収納してあるから、嵩張らず、且つ邪魔にならない。
【００２１】
また、上記第４の課題解決手段による作用は、自着性接着剤塗布面同士が接した場合のみ接着するから、他の紙状物部分や充填する粉粒体が自着性接着剤塗布面に接着しない。
【発明の効果】
【００２２】
本発明のバルブ付紙袋によれば、異物混入の原因やブロッキングの原因を排除出来、粉粒体の充填後の外側スリーブバルブの封止も、他の紙状物部分や充填する粉粒体を関与させることなく、容易且つ確実に出来るとともに紙袋本体の開封後、口封バンドにて口部を容易に閉じることが出来、逆に開けることも容易となる効果がある。
【００２３】
また、本発明のバルブ付紙袋によれば、上記の効果に加えて、化粧紙にて外側スリーブバルブの封止がより確実となり、さらに紙袋本体の密封性も高まる効果がある。
【００２５】
また、本発明のバルブ付紙袋によれば、上記の効果に加えて、貼着部分による隙間で形成した収納箇所にて、嵩張らず且つ邪魔にならずに口封バンドを収納出来る効果がある。
【００２６】
また、本発明のバルブ付紙袋によれば、上記の効果に加えて、種々の自着性接着剤により、外側スリーブバルブの封止が出来る効果がある。
【図面の簡単な説明】
【００２７】
【図１】本発明の実施の形態を示すバルブ付紙袋の斜視図である。
【図２】同バルブ付紙袋の製作状態を示す斜視図である。
【図３】同バルブ付紙袋の製作状態を示す平面図である。
【図４】同バルブ付紙袋の外側スリーブバルブの製作状態を示す平面図である。
【図５】図４の外側スリーブバルブの製作状態を示す平面図である。
【図６】図４の外側スリーブバルブの製作状態を示す平面図である。
【図７】図４の外側スリーブバルブの製作状態を示す平面図である。
【図８】同バルブ付紙袋の口封バンドの収納状態を示す断面図である。
【図９】特許文献１記載の従来例を示す平面図である。
【図１０】同じく特許文献１記載の従来例を示す平面図である。
【図１１】特許文献２記載の従来例を示す平面図である。
【図１２】特許文献３記載の従来例を示す斜視図である。
【図１３】同じく特許文献３記載の従来例の外側スリーブバルブを示す斜視図である。
【図１４】特許文献４記載の従来例を示す平面図である。
【発明を実施するための形態】
【００２８】
以下に、図面を参照して本発明を実施するための最良の形態を説明する。
【実施例１】
【００２９】
図面において、バルブ付紙袋１は、後述する多層紙状物１０で構成した紙袋本体２の開口部３に、弁紙にて折り曲げ形成した外側スリーブバルブ４を取り付け、この外側スリーブバルブ４を通して粉粒体を紙袋本体２内に充填自在となし、外側スリーブバルブ４の粉粒体投入開口５側で、前記紙袋本体側の外面４ａに自着性接着剤塗布面６を設けてなり、粉粒体の充填後に、外側スリーブバルブ４の粉粒体投入開口５側の両角部を前記紙袋本体側に折り畳んで、自着性接着剤塗布面６、６同士を貼り合わせ、さらに、その折畳部分を前記紙袋本体側に巻き込んで、粉粒体投入開口５を閉じるものである。
【００３０】
前記紙袋本体２は、図２、３に示すように、多層紙状物１０による紙状筒１１を平坦に折り潰し、この紙状筒１１の一方の開口端部１２の両角１２ａ、１２ｂに折込み部１３、１４を形成すると共に、上紙１５及び下紙１５ａの一方を開いて展開面１６とし、この展開面１６の開口部３を塞げるように、前記上紙１５及び下紙１５ａに折れ筋１７、１７を付け、この折れ筋１７、１７に沿い上紙１５及び下紙１５ａを折り畳んで貼り合わせ、更に、その上に化粧紙１８を貼り合わせ底部を形成してなるものである。
【００３１】
この紙状筒１１は、径及び長さとも使用目的に合わせた任意のものが選択され、図１、２では外層紙状物２０、内層紙状物２１を有する２枚重ねにした紙状物１０が使用されているが、これに限定されず３層以上の多層でも良い。材質もクラフト紙に限らず、樹脂シート、紙に樹脂シートを貼り付けたもの等が使用される。
【００３２】
そして、この紙状筒１１は、図２に示すように、平坦に折り潰し、折れ筋２２に沿い矢線Ａ方向に折り曲げ、図３に示すように、開口端部１２の両角１２ａ、１２ｂに三角形状の折込み部１３、１４を形成し、紙状筒１１の上紙１５側を開いて六角形状の展開面１６を形成する。この展開面１６には中心部に開口部３があるから、これを塞ぐにために、上紙１５及び下紙１５ａを開口部３側に折り曲げる必要がある。従って、前記折れ筋１７、１７が上紙１５及び下紙１５ａに付けられ、この折れ筋１７、１７に沿って上紙１５及び下紙１５ａを折り畳み、上紙１５及び下紙１５ａの少なくとも斜線部分２３及び２３ａに貼合剤を塗布し貼り付けることになる。なお、この貼合剤は、ポリビニルアセテート、ポリビニルアルコール、アクリル系、ゴム系、澱粉糊等の接着剤が使用される。
【００３３】
一方、前記外側スリーブバルブ４は、まず、図４に示すように、弁紙２４の粉粒体投入開口５の反対側となる端部５Ａを外面４ａ側に折り畳み、粉粒体の漏れ防止のポケットとなるようにして、さらに、図４の二点鎖線で示す折れ目に沿い折り畳んで、図５に示すように筒状にしてなる。この外側スリーブバルブ４の外面４ａには、既述のとおり、自着性接着剤塗布面６が設けられている。この外側スリーブバルブ４は、図３に示す前記折れ筋１７、１７間の幅があり、折込み部１４の頂角１４ａよりも外側で折込み部１４の底辺１４ｂを越え前記開口部３に架かる長さがある。そして、この外側スリーブバルブ４は、上紙１５及び下紙１５ａが折れ筋１７、１７に沿って折り畳まれる際、折込み部１４内に挿入され密封状態に貼り付けられるものである。
【００３４】
したがって、この外側スリーブバルブ４によれば、粉粒体供給ノズルからの粉粒体を外側スリーブバルブ４まわりから漏らすことなく、紙袋本体２内に供給することが出来、その粉粒体供給終了後に、外側スリーブバルブ４を閉じることになる。それは、図５に示す外側スリーブバルブ４を、図６に示すように折り畳むと、外面４ａが上に来るから自着性接着剤塗布面６も上に来て、さらに、粉粒体投入開口５の角５ａを図６の二点鎖線で示す折れ目に沿い折り畳むから、自着性接着剤塗布面６同士が密着して接着し、外側スリーブバルブ４の粉粒体投入開口５を閉鎖することになる。なお、外側スリーブバルブ４の材質は、紙状物１０と同様のものが使用される。
【００３５】
なお、本発明における自着性接着剤とは、これの塗布面同士が接した場合にのみ接着するものであり、他の紙状物部分や充填途中の粉粒体が、自着性接着剤塗布面に接しても接着することがないものである。自着性接着剤塗布面６に使用される自着性接着剤は、自着性があれば特に限定がないが、ゴム・ラテックス、アクリル、エチレンビニルアセテート（ＥＶＡ）、ポリウレタン、ホットメルトなどが例示でき、これらから１の自着性接着剤が選択される。
【００３６】
そして、前記紙袋本体２の開口部３に外側スリーブバルブ４を取り付けた後の上紙１５及び下紙１５ａの上に、前記化粧紙１８を貼り合わせて、製品として完成する。但し、化粧紙１８を貼り合わせるのは、上述のように、紙袋本体２内に外側スリーブバルブ４を通して粉粒体を供給した後である。従って、外側スリーブバルブ４を開放した状態で、且つ化粧紙１８を貼り合わせていない状態のバルブ付紙袋１として、需要家に引き渡され、需要家にてバルブ付紙袋１内部に粉粒体を収納した後、粉粒体投入開口５の角５ａを折り畳んで、自着性接着剤塗布面６同士を密着させて接着し、外側スリーブバルブ４の粉粒体投入開口５を閉鎖してから、その上に化粧紙１８を貼り合わせることになる。
【００３７】
また、図２に示す前記紙状筒１１の他方の開口端部１２Ａは、図１に示すように、既述の一方の開口端部１２に比べて、外側スリーブバルブ４が無いこと及び化粧紙１８にカットテープ２５が取り付けられていること以外、ほぼ同様の構成となって、口部２６を形成している。
【００３８】
また、前記紙袋本体２を形成する多層紙状物１０内には、紙袋本体２の口部２６が開封された後、その口部２６を閉じる口封バンド２７が紙袋本体２の軸線方向に収納されている。そして、紙袋本体２の多層紙状物１０内における口封バンド２７の収納箇所は、図８に示すように、多層紙状物１０における外層紙状物２０同士の貼合部２８と内層紙状物２１同士の貼合部２９との間をずらしてスペース３０を空け、このスペース３０における外層紙状物２０と内層紙状物２１とを、口封バンド２７を収納する隙間３１が出来るように貼着してなるものである。したがって、紙袋本体２の開封した後、その口部２６を閉じる必要があるとき、多層紙状物１０内に収納してある口封バンド２７を取り出し、口部２６を口封バンド２７にて縛り付けて、口部２６を閉じることが出来るし、口封バンド２７を解けば口部２６を開けることも出来る。
【００３９】
なお、口封バンド２７は、スペース３０における外層紙状物２０と内層紙状物２１との貼着部分３２、３３による隙間３１である収納箇所内に収納されているから、嵩張らず、且つ邪魔にならないことになる。
【００４０】
以上、本発明の実施例１を説明したが、具体的な構成はこれに限定されず、本発明の要旨を逸脱しない範囲での変更は適宜可能であることは理解されるべきである。
【産業上の利用可能性】
【００４１】
本発明のバルブ付紙袋は、異物混入の原因やブロッキングの原因を出来るだけ排除し、粉粒体の充填後の外側スリーブバルブの封止も容易且つ確実にして、さらに開封後の口部も容易に閉じたり、開きたいような場合に、利用可能性が極めて高くなる。
【符号の説明】
【００４２】
１                        バルブ付紙袋
２                        紙袋本体
３、ｈ                    開口部
４、ｋ                    外側スリーブバルブ
４ａ                      外面
５                        粉粒体投入開口
６                        自着性接着剤塗布面
１０                      紙状物
１１、ａ                  紙状筒
１２、１２Ａ、ｂ          開口端部
１２ａ、１２ｂ            角
１３、１４、ｃ、ｄ        折込み部
１４ａ                    頂角
１４ｂ                    底辺
１５、ｅ                  上紙
１５ａ、ｆ                下紙
１６、ｇ                  展開面
１７、２２、ｉ            折れ筋
１８、ｊ                  化粧紙
２０                      外層紙状物
２１                      内層紙状物
２３、２３ａ              斜線部分
２４                      弁紙
２５                      カットテープ
２６、ｎ                  口部
２７、ｏ                  口封バンド
２８、２９                貼合部
３０                      スペース
３１                      隙間
３２、３３                貼着部分
Ｌ                        内面
ｍ                        加熱溶融接着剤塗布面
【図１】
0005574784.tif 000002
【図２】
0005574784.tif 000003
【図３】
0005574784.tif 000004
【図４】
0005574784.tif 000005
【図５】
0005574784.tif 000006
【図６】
0005574784.tif 000007
【図７】
0005574784.tif 000008
【図８】
0005574784.tif 000009
【図９】
0005574784.tif 000010
【図１０】
0005574784.tif 000011
【図１１】
0005574784.tif 000012
【図１２】
0005574784.tif 000013
【図１３】
0005574784.tif 000014
【図１４】
0005574784.tif 000015